(57)【要約】      （修正有）【課題】被収納物を内側に収納する収納姿勢と、被収納物を立たせた起立姿勢との間の姿勢変化を容易に行うことができ、高い利便性を得ることができるカバースタンド及びカバースタンド付き携帯用情報機器を提供する。【解決手段】カバースタンド１０は、タブレット型ＰＣ１２が装着される一対のカバー部１８と、一対のスタンド板２４，２５とを備え、各スタンド板の背表紙部２６側と反対側の縁部２４ａ，２５ａが各カバー部の外面に対して折り曲げ可能に接続されている。そして、カバー部材１４の内側にタブレット型ＰＣ１２を収納した収納姿勢から一対のカバー部を互いに離間させる方向に開いた場合に、一対のスタンド板が一対のカバー部の外面から折れ曲がる方向に移動すると共に背表紙部２６がタブレット型ＰＣ１２から離間する方向に移動することで、背表紙部の下縁部２６ａが載置面上に着地してタブレット型ＰＣを起立保持する起立姿勢に変化する。【選択図】図３
2017068732.tif 000002
【特許請求の範囲】
【請求項１】
少なくとも一方の内面に被収納物が装着される一対のカバー部と、背表紙部を介して互いに折り曲げ可能に接続された一対のスタンド板とを備え、
一方の前記スタンド板の前記背表紙部側とは反対側の縁部が一方の前記カバー部の外面に対して折り曲げ可能に接続され、他方の前記スタンド板の前記背表紙部側とは反対側の縁部が他方の前記カバー部の外面に対して折り曲げ可能に接続されており、
前記一対のカバー部を互いに重ねる方向に折り畳んだ場合に、前記背表紙部を介して前記一対のスタンド板が二つ折りに折り畳まれることで、前記一対のカバー部の内側に前記被収納物を収納する収納姿勢に変化し、
前記収納姿勢から前記一対のカバー部を互いに離間させる方向に開いた場合に、前記一対のスタンド板が前記一対のカバー部の外面からそれぞれ折れ曲がる方向に移動すると共に前記背表紙部が前記被収納物から離間する方向に移動することで、前記背表紙部の下端部が載置面上に着地して前記被収納物を起立保持する起立姿勢に変化することを特徴とするカバースタンド。
【請求項２】
請求項１記載のカバースタンドにおいて、
少なくとも前記一方のスタンド板の縁部及び前記一方のカバー部は、一方に磁石が配設され、他方に前記磁石と吸着可能な被吸着体が配設されることで、着脱可能に接続されていることを特徴とするカバースタンド。
【請求項３】
請求項２記載のカバースタンドにおいて、
前記一方のカバー部には、前記磁石又は前記被吸着体が複数並んで設けられていることを特徴とするカバースタンド。
【請求項４】
請求項１〜３のいずれか１項に記載のカバースタンドにおいて、
前記一対のカバー部は、連接部を介して互いに折り曲げ可能に接続されており、
前記収納姿勢では、前記一対のスタンド板が前記一対のカバー部の外面に重なると共に、前記背表紙部が前記連接部との間に隙間を介して配置され、
前記起立姿勢では、前記連接部と前記背表紙部との間の前記隙間が拡大すると共に、前記一対のスタンド板が前記一対のカバー部の外面から離間することで、前記連接部を介して平面形状に並んだ前記一対のカバー部の外面に対し、前記一対のスタンド板が前記背表紙部を頂点とした山折り形状に突出した状態となることを特徴とするカバースタンド。
【請求項５】
請求項４記載のカバースタンドにおいて、
前記一対のスタンド板及び前記背表紙部は、前記背表紙部の上端部を頂点とした三角形状に形成され、
各スタンド板の各カバー部の外面に対する接続部は、前記連接部の長手方向に対して傾斜していることを特徴とするカバースタンド。
【請求項６】
請求項１〜５のいずれか１項に記載のカバースタンドにおいて、
前記被収納物はディスプレイを備えた携帯用情報機器であり、該携帯用情報機器の前記ディスプレイ側とは反対側の背面が前記カバー部の内面に装着されることを特徴とするカバースタンド。
【請求項７】
請求項６記載のカバースタンドにおいて、
前記携帯用情報機器は、二つ折りに折り畳み可能な一対の筐体を有し、
一方の筐体が一方のカバー部に装着され、他方の筐体が他方のカバー部に装着されることを特徴とするカバースタンド。
【請求項８】
請求項７記載のカバースタンドにおいて、
前記ディスプレイは、前記一対の筐体間に亘って設けられ、二つ折りに折り畳み可能に構成されていることを特徴とするカバースタンド。
【請求項９】
請求項６〜８のいずれか１項に記載のカバースタンドと、前記携帯用情報機器とを備えることを特徴とするカバースタンド付き携帯用情報機器。
【発明の詳細な説明】
【技術分野】
【０００１】
本発明は、携帯用情報機器等の被収納物を収納して持ち運びできる収納姿勢と、起立させて保持する起立姿勢とに姿勢変化可能なカバースタンド及び該カバースタンドと携帯用情報機器を備えるカバースタンド付き携帯用情報機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、一般に手で把持した状態で操作する場合と、机や膝の上に置いた状態で操作する場合とがあり、特に机や膝の上に置いた状態で操作する場合にはスタンドを利用して立てた状態で使用されることもある。また、タブレット型ＰＣの持ち運び時に傷つきや破損を避けるため、二つ折りした内側にタブレット型ＰＣを収納できるカバー部材も利用されている。
【０００３】
そこで本出願人は特許文献１において、折り畳んだ状態ではタブレット型ＰＣ等の携帯用情報機器をカバー部材の内側に収納して持ち運ぶことができる収納姿勢と、携帯用情報機器を立たせた起立姿勢とに姿勢変化可能なカバースタンドを提案している。
【先行技術文献】
【特許文献】
【０００４】
【特許文献１】特開２０１３−０２５４２０号公報
【発明の概要】
【発明が解決しようとする課題】
【０００５】
上記特許文献１記載の構成では、携帯用情報機器を保持した支持板の下縁部の角をキーボードが設けられた基台の上面に形成された溝に引っ掛け、さらに互いを磁石によって吸着させる。これにより、携帯用情報機器を背面から支持する三角構造が構築され、携帯用情報機器を安定した起立姿勢に保持することができる。
【０００６】
ところがこの構成では、カバースタンドを収納姿勢から起立姿勢に姿勢変化させる際、使用者は携帯用情報機器を開き方向に持ち上げた後、携帯用情報機器を支持している支持板の下縁部を持ち上げてこれを基台の上面に係止させる必要がある。つまり、使用者は、携帯用情報機器の開き操作と、携帯用情報機器の下縁部を一旦持ち上げてから係止させる操作とを行う必要があり、この操作回数の低減が望まれている。
【０００７】
本発明は、上記従来技術の課題を考慮してなされたものであり、被収納物を内側に収納する収納姿勢と、被収納物を立たせた起立姿勢との間の姿勢変化を容易に行うことができ、高い利便性を得ることができるカバースタンド及び該カバースタンドと携帯用情報機器を備えるカバースタンド付き携帯用情報機器を提供することを目的とする。
【課題を解決するための手段】
【０００８】
本発明に係るカバースタンドは、少なくとも一方の内面に被収納物が装着される一対のカバー部と、背表紙部を介して互いに折り曲げ可能に接続された一対のスタンド板とを備え、一方の前記スタンド板の前記背表紙部側とは反対側の縁部が一方の前記カバー部の外面に対して折り曲げ可能に接続され、他方の前記スタンド板の前記背表紙部側とは反対側の縁部が他方の前記カバー部の外面に対して折り曲げ可能に接続されており、前記一対のカバー部を互いに重ねる方向に折り畳んだ場合に、前記背表紙部を介して前記一対のスタンド板が二つ折りに折り畳まれることで、前記一対のカバー部の内側に前記被収納物を収納する収納姿勢に変化し、前記収納姿勢から前記一対のカバー部を互いに離間させる方向に開いた場合に、前記一対のスタンド板が前記一対のカバー部の外面からそれぞれ折れ曲がる方向に移動すると共に前記背表紙部が前記被収納物から離間する方向に移動することで、前記背表紙部の下端部が載置面上に着地して前記被収納物を起立保持する起立姿勢に変化することを特徴とする。
【０００９】
このような構成によれば、一対のカバー部を二つ折りに折り畳んで内側に被収納物を収納した収納姿勢から起立姿勢に変化させる際には、一対のカバー部を互いに離間させる方向に開き操作する。そうすると、一対のスタンド板が各カバー部の外面からそれぞれ折れ曲がる方向に移動すると共に背表紙部が被収納物から離間する方向に移動することで、背表紙部の下端部が載置面上に着地して被収納物を起立保持する起立姿勢に変化する。つまり、使用者は一対のカバー部を開き操作するだけの１アクションで収納姿勢にあるカバースタンドを起立姿勢に容易に変化させることができ、高い利便性が得られる。
【００１０】
少なくとも前記一方のスタンド板の縁部及び前記一方のカバー部は、一方に磁石が配設され、他方に前記磁石と吸着可能な被吸着体が配設されることで、着脱可能に接続された構成であってもよい。そうすると、起立姿勢でカバー部の外面から各スタンド板が突出している状態で磁石を被吸着体から引き剥がして各スタンド板及び背表紙部を平面形状とすることで、スタンド板の突出状態を解消することができる。これにより、起立姿勢で当該カバースタンド全体を一枚板状に構成することができ、使用者が手で把持し易くなり操作性が向上する。
【００１１】
前記一方のカバー部には、前記磁石又は前記被吸着体が複数並んで設けられた構成であってもよい。そうすると、磁石と被吸着体との吸着位置を変更することで起立姿勢での起立角度を容易に変更できる。
【００１２】
前記一対のカバー部は、連接部を介して互いに折り曲げ可能に接続されており、前記収納姿勢では、前記一対のスタンド板が前記一対のカバー部の外面に重なると共に、前記背表紙部が前記連接部との間に隙間を介して配置され、前記起立姿勢では、前記連接部と前記背表紙部との間の前記隙間が拡大すると共に、前記一対のスタンド板が前記一対のカバー部の外面から離間することで、前記連接部を介して平面形状に並んだ前記一対のカバー部の外面に対し、前記一対のスタンド板が前記背表紙部を頂点とした山折り形状に突出した状態となる構成であってもよい。このように一対のスタンド板は、収納姿勢において各カバー部に重なることで当該カバースタンドは全体としてコンパクトな折り畳み形状となり、持ち運び性や収納性が確保される。しかも収納姿勢で背表紙部が連接部との間に隙間を介して配置されるように設定されているため、起立姿勢では背表紙部が円滑に且つ確実に連接部の外面から離間する方向に移動し、同時にスタンド板が三角形状となるため、高い安定性が得られる。
【００１３】
前記一対のスタンド板及び前記背表紙部は、前記背表紙部の上端部を頂点とした三角形状に形成され、各スタンド板の各カバー部の外面に対する接続部は、前記連接部の長手方向に対して傾斜した構成であってもよい。そうすると、起立姿勢においてスタンド板の下縁部と背表紙部の下縁部が各カバー部の下縁部よりも上方に位置ずれして移動する。その結果、起立姿勢では、例えば当該カバースタンドが載置面に対して９０度よりも寝た状態の起立姿勢となるため、安定性が向上すると共に被収納物の操作性等が向上する。
【００１４】
前記被収納物はディスプレイを備えた携帯用情報機器であり、該携帯用情報機器の前記ディスプレイ側とは反対側の背面が前記カバー部の内面に装着される構成であってもよい。
【００１５】
前記携帯用情報機器は、二つ折りに折り畳み可能な一対の筐体を有し、一方の筐体が一方のカバー部に装着され、他方の筐体が他方のカバー部に装着される構成であってもよい。そうすると、当該カバースタンドを起立姿勢とした場合に携帯用情報機器の筐体も同時に開くことができ、高い利便性が得られる。
【００１６】
前記ディスプレイは、前記一対の筐体間に亘って設けられ、二つ折りに折り畳み可能に構成されていてもよい。そうすると、当該カバースタンドを起立姿勢とした場合に携帯用情報機器の筐体と共にディスプレイも開くことができ、一層高い利便性が得られる。
【００１７】
本発明に係るカバースタンド付き携帯用情報機器は、上記構成のカバースタンドと、前記携帯用情報機器とを備えることを特徴とする。
【発明の効果】
【００１８】
本発明によれば、使用者は一対のカバー部を開き操作するだけの１アクションで収納姿勢にあるカバースタンドを起立姿勢に容易に変化させることができ、高い利便性が得られる。
【図面の簡単な説明】
【００１９】
【図１】図１は、本発明の一実施形態に係るカバースタンドを用いてタブレット型ＰＣを立てた状態を示す斜視図である。
【図２】図２は、図１に示すカバースタンドからタブレット型ＰＣを外した状態を示す斜視図である。
【図３】図３は、図１に示すカバースタンドを背面側から見た斜視図である。
【図４】図４は、カバースタンドを折り畳み、タブレット型ＰＣを内側に収納した状態を示す側面図である。
【図５】図５は、図４に示す収納姿勢にあるカバースタンドの平面図である。
【図６】図６は、起立姿勢にあるカバースタンド及びタブレット型ＰＣの底面図である。
【図７】図７は、起立姿勢にあるカバースタンド及びタブレット型ＰＣの側面図である。
【図８】図８は、カバー部に複数の被吸着体を並設した構成例を示す起立姿勢にあるカバースタンドの背面図である。
【図９】図９は、起立姿勢にあるカバースタンドのスタンド部材を平面形状にした状態を示す背面図である。
【図１０】図１０は、変形例に係るカバースタンドを背面側から見た斜視図である。
【図１１】図１１は、別の変形例に係るカバースタンドを背面側から見た斜視図である。
【図１２】図１２は、図１に示すカバースタンドを用いて構成の異なるタブレット型ＰＣを立てた状態を示す斜視図である。
【発明を実施するための形態】
【００２０】
以下、本発明に係るカバースタンド及びカバースタンド付き携帯用情報機器について好適な実施の形態を挙げ、添付の図面を参照しながら詳細に説明する。
【００２１】
図１は、本発明の一実施形態に係るカバースタンド１０を用いてタブレット型ＰＣ１２を立てた状態を示す斜視図であり、図２は、図１に示すカバースタンド１０からタブレット型ＰＣ１２を外した状態を示す斜視図である。また、図３は、図１に示すカバースタンド１０を背面側から見た斜視図であり、図４は、カバースタンド１０を折り畳み、タブレット型ＰＣ１２を内側に収納した状態を示す側面図である。
【００２２】
本実施形態に係るカバースタンド１０は、タブレット型ＰＣ１２等の携帯用情報機器を机の上等の載置面上で立てることができるスタンドとしての機能と、タブレット型ＰＣ１２を収納して持ち運ぶためのカバーケースとしての機能とを備える。カバースタンド１０の使用対象（被収納物）としては、タブレット型ＰＣ１２以外、例えば携帯電話、スマートフォン又は電子手帳等の携帯用情報機器、さらには書籍や電子ブック等も挙げられる。
【００２３】
図１及び図４に示すように、タブレット型ＰＣ１２は、二つ折りに折り畳み可能な一対の筐体１２ａ，１２ａと、一対の筐体１２ａ，１２ａの前面を覆うように設けられたタッチパネル式の液晶表示部からなるディスプレイ１２ｂとを備える。
【００２４】
一対の筐体１２ａ，１２ａ間は、例えばヒンジ１２ｃを介して折り畳み可能に連結されており（図４参照）、その内部に図示しない演算装置及びメモリ等の各種電子部品を収納している。ディスプレイ１２ｂは、筐体１２ａ，１２ａを折り畳んだ際に一緒に折り畳み可能な構造であり、例えば少なくとも二つ折りに折り畳み可能に形成された柔軟性の高いペーパー構造とされている。ディスプレイ１２ｂは、各筐体１２ａの前面にそれぞれ小型のディスプレイを設けた２画面構造で構成されてもよい。
【００２５】
図１〜図４に示すように、カバースタンド１０は、図４に示す収納姿勢でタブレット型ＰＣ１２を内側に収納するように二つ折りに折り畳まれるカバー部材１４と、カバー部材１４の外面側に設けられ、図１〜図３に示す起立姿勢でカバー部材１４及びタブレット型ＰＣ１２を背面側から支持するスタンド部材１６とを備える。
【００２６】
以下、図１に示すようにタブレット型ＰＣ１２を起立保持した起立姿勢での使用形態を基準とし、タブレット型ＰＣ１２を使用する使用者から見た方向で、正面側を内側（前側）、背面側を外側（後側）と呼び、タブレット型ＰＣ１２の起立方向を上下方向、幅方向を左右方向と呼んで説明する。
【００２７】
先ず、カバー部材１４は、当該カバースタンド１０の外形を形成するものであり、それぞれタブレット型ＰＣ１２の一対の筐体１２ａ，１２ａの背面側を覆う一対のカバー部１８，１８と、一対のカバー部１８，１８間を折り曲げ可能に接続する連接部２０とを有する。
【００２８】
各カバー部１８は、タブレット型ＰＣ１２の各筐体１２ａの背面を覆う薄板状のカバーであり、各カバー部１８を連接部２０を介して平面形状に開いた状態での外形は、収納するタブレット型ＰＣ１２と略同一又は多少大きく形成された矩形形状を成している。各カバー部１８は同一形状の外形を有し、図４に示すようにタブレット型ＰＣ１２を内側にして連接部２０を介して二つ折りに折り畳んだ状態でタブレット型ＰＣ１２を挟んで互いに重なるように構成されている。
【００２９】
各カバー部１８の内面側には、例えば図２中に二点鎖線で示す複数の磁石２２が適宜箇所に埋設されており、磁石２２をタブレット型ＰＣ１２の背面に埋設された磁石又は金属板等に吸着させることにより、カバー部材１４の内面側にタブレット型ＰＣ１２を固定・支持することができる。カバー部材１４に対するタブレット型ＰＣ１２の装着構造は、磁石２２を用いた構造以外でも勿論よく、例えば各カバー部１８の四隅にタブレット型ＰＣ１２の四隅を挿入保持可能な保持バンド（図示せず）を設けた構造や、各カバー部１８の上下縁部又は左右縁部にタブレット型ＰＣ１２を把持するフックを設けた構造等であってもよい。
【００３０】
連接部２０は、タブレット型ＰＣ１２を内側にして一対のカバー部１８，２０を二つ折りに折り畳んだ場合に、一緒に折り畳まれたタブレット型ＰＣ１２の端面を覆う背表紙となる部分である（図４参照）。従って、連接部２０は、二つ折りに折り畳んだ状態のタブレット型ＰＣ１２の厚み以上の幅を有する。連接部２０と左右のカバー部１８，２０との間にはそれぞれ上下方向に延在する折り曲げ線Ａ１，Ａ２が形成されている。
【００３１】
カバー部材１４は、一方のカバー部１８から連接部２０を経て他方のカバー部１８まで一体的に延在形成されている。カバー部材１４の材質としては、例えばガラスエポキシ樹脂やポリカーボネイト、カーボン等からなる薄い平板を芯材とし、その周囲を皮革や人工皮革、布等で囲繞したものを用いるとよい。
【００３２】
次に、スタンド部材１６は、カバー部材１４の外面に装着された一対のスタンド板２４，２５と、一対のスタンド板２４，２５間を折曲可能に接続する背表紙部２６とを備える。
【００３３】
図３に示すように、一方のスタンド板２４は、背表紙部２６側とは反対側の縁部２４ａに帯板状の固定板２８が折り曲げ可能に接続されている。固定板２８が一方のカバー部１８の外面に接着等によって固着される一方、スタンド板２４はカバー部１８の外面に固定されずに接離可能な状態とされている。すなわち、スタンド板２４はその縁部２４ａが固定板２８を介してカバー部１８の外面に対して折り曲げ可能に接続された状態にあり、縁部２４ａが上下方向に傾斜した方向に延在する折り曲げ線Ｂ１となる。
【００３４】
他方のスタンド板２５は、背表紙部２６側とは反対側の縁部２５ａに帯板状の固定板３０が折り曲げ可能に接続されている。固定板３０が他方のカバー部１８の外面に着脱可能に固定される一方、スタンド板２５はカバー部１８の外面に固定されずに接離可能な状態とされている。すなわち、スタンド板２５はその縁部２５ａが固定板３０を介してカバー部１８の外面に対して折り曲げ可能に接続された状態にあり、縁部２５ａが上下方向に傾斜した方向に延在する折り曲げ線Ｂ２となる。
【００３５】
スタンド板２５に接続された固定板３０のカバー部１８への着脱構造は、固定板３０に埋設された磁石３２と、カバー部１８に埋設された磁石又は金属板等の被吸着体３３との間の吸着力によって構成されている。固定板３０に被吸着体３３を設け、カバー部１８に磁石３２を設けてもよい。また、磁石３２及び被吸着体３３を用いた吸着構造以外の着脱構造、例えば面ファスナーを用いてもよい。
【００３６】
背表紙部２６は、タブレット型ＰＣ１２を内側にしてカバー部材１４を二つ折りに折り畳んだ場合に、一緒に折り畳まれたタブレット型ＰＣ１２の端面を覆うカバー部材１４の連接部２０を覆うように配置される部分である（図４参照）。また背表紙部２６は、図３に示す起立姿勢において左右のスタンド板２４，２５間を山折り形状に形成する際の頂点（尾根）となる部分でもある。従って、背表紙部２６は、連接部２０よりも大きな幅を有し、連接部２０の外面に固定されずに接離可能な状態とされている。背表紙部２６と左右のスタンド板２４，２５との間にはそれぞれ上下方向に延在する折り曲げ線Ｃ１，Ｃ２が形成されている。
【００３７】
スタンド部材１６は、一方の固定板２８及びスタンド板２４から背表紙部２６を経て他方のスタンド板２５及び固定板３０まで一体的に延在形成され、正面視で略三角形状を成している。スタンド部材１６の材質は、上記したカバー部材１４と同一でよいが、例えばカバー部材１４よりもさらに高剛性に形成されることで当該カバースタンド１０の起立姿勢時の安定性が向上する。
【００３８】
図５は、図４に示す収納姿勢にあるカバースタンド１０の平面図である。また、図６は、起立姿勢にあるカバースタンド１０及びタブレット型ＰＣ１２の底面図であり、図７は、起立姿勢にあるカバースタンド１０及びタブレット型ＰＣ１２の側面図である。
【００３９】
スタンド部材１６は、図４に示す収納姿勢において、一対のスタンド板２４，２５がそれぞれ一対のカバー部１８，２０の外面に重なるように当接し、背表紙部２６が連接部２０との間に隙間Ｇを介して配置される。この際、図５に示すように、スタンド板２４（２５）の載置面への着地部となる下縁部２４ｂ（２５ｂ）の長さ寸法、つまり折り曲げ線Ｂ１（Ｂ２）の下端部から背表紙部２６の折り曲げ線Ｃ１（Ｃ２）までの距離Ｌ１は、カバー部１８の折り曲げ線Ｂ１（Ｂ２）から連接部２０の折り曲げ線Ａ１（Ａ２）までの長さ寸法である距離Ｌ２よりも大きく設定されている（Ｌ１＞Ｌ２）。その結果、背表紙部２６は上部から下部に向かって次第に連接部２０から離間する傾斜方向に延在し、隙間Ｇは連接部２０及び背表紙部２６の下部から上部に向かって次第に狭くなるように形成される。またスタンド板２４（２５）の下縁部２４ｂ（２５ｂ）は、カバー部１８の下縁部に対して上方に角度θ（例えば、数度程度）傾斜した配置とされている。
【００４０】
従って、カバー部材１４を連接部２０を介して開き動作させて折り曲げ線Ｂ１，Ｂ２を折り曲げると、スタンド板２４，２５はそれぞれ折り曲げ線Ｂ１，Ｂ２を支点として各カバー部１８の外面から離間する外側方向に移動し、同時に折り曲げ線Ｃ１，Ｃ２が折れ曲がることで背表紙部２６が連接部２０から離間する外側方向に移動する（図６参照）。その結果、スタンド部材１６は、平面形状に形成されたカバー部材１４の外面側で背表紙部２６を頂点とした山折り形状（三角錐の半身形状）に突出した状態となる（図３及び図６参照）。これにより、カバースタンド１０は各スタンド板２４，２５の下縁部２４ｂ，２５ｂと背表紙部２６の下縁部（下端部）２６ａとが載置面上に着地可能な起立姿勢となる（図７参照）。
【００４１】
次に、以上のように構成されるカバースタンド１０を図４に示す収納姿勢から図３に示す起立姿勢へと姿勢変化させる方法を説明する。
【００４２】
先ず、カバースタンド１０は、図４に示す収納姿勢では、カバー部材１４の内面にタブレット型ＰＣ１２が装着された状態で各カバー部１８が折り曲げ線Ａ１，Ａ２を介して二つ折りに折り畳まれ、各スタンド板２４，２５が折り曲げ線Ｃ１，Ｃ２を介して二つ折りに折り畳まれている。これにより、タブレット型ＰＣ１２は、その３面が一対のカバー部１８及び連接部２０に覆われた状態となる。このため、使用者はブックカバーのようにカバースタンド１０でタブレット型ＰＣ１２を保護した状態で持ち運ぶことができる。
【００４３】
この際、スタンド部材１６は各スタンド板２４，２５が各カバー部１８の外面に重なるため、背表紙部２６が隙間Ｇを介して連接部２０から離間しているものの、カバースタンド１０は全体としてコンパクトな折り畳み形状となり（図４及び図５参照）、持ち運び性や収納性が確保される。
【００４４】
次に、図４に示す収納姿勢にあるカバースタンド１０及びタブレット型ＰＣ１２を起立姿勢に変化させる場合には、図６に示すように各カバー部１８を連接部２０を介して互いに離間させる方向に開き動作させる。そうすると、折り曲げ線Ａ１，Ａ２が折れ曲がることでカバー部材１４が連接部２０と共に平面形状に形成され、さらに折り曲げ線Ｂ１，Ｂ２が折れ曲がることで各スタンド板２４，２５が各カバー部１８の外面から離間する外側方向に移動し、同時に折り曲げ線Ｃ１，Ｃ２が折れ曲がることで背表紙部２６が連接部２０から離間する外側方向に移動する。
【００４５】
この際、折り曲げ線Ｂ１，Ｂ２は、カバー部材１４の連接部２０の長手方向中心線を基準として互いに線対称となるハ字状に傾斜している。このため、背表紙部２６はその下縁部２６ａの移動量が上縁部の移動量よりも大きくなり、スタンド部材１６が平面形状に形成されたカバー部材１４の外面側で背表紙部２６を頂点とした山折り形状に突出した状態となる（図３及び図７参照）。その結果、カバースタンド１０は、各スタンド板２４，２５の下縁部２４ｂ，２５ｂと背表紙部２６の下縁部２６ａとが載置面上に着地し、タブレット型ＰＣ１２を起立保持した起立姿勢となる（図１及び図３参照）。
【００４６】
この起立姿勢では、タブレット型ＰＣ１２は、例えば鉛直方向から背面側に２０〜４０度程度寝た角度位置、つまり載置面上から１１０〜１３０度程度起き上がった角度位置に保持され、タブレット型ＰＣ１２の重量によって図７に示す三角構造が安定する。
【００４７】
このような起立姿勢に関連し、図８に示すように、例えばカバー部１８の被吸着体３３の両隣に被吸着体３３ａ，３３ｂを配置することで、被吸着体を複数並設した構成としてもよい。そうすると、例えばスタンド板２５の磁石３２を中央の被吸着体３３に吸着させた状態では、図７に示す起立角度（例えば１２０度）となり、連接部２０寄りの被吸着体３３ａに吸着させた状態では、図５中の角度θが小さくなってより起立角度が立ち上がった状態（例えば１１０度）となり、連接部２０から遠位側の被吸着体３３ｂに吸着させた状態では、図５中の角度θが大きくなってより起立角度が寝た状態（例えば１３０度）となる。つまり、スタンド板２５のカバー部１８に対する固定位置を変化させることで、タブレット型ＰＣ１２の起立角度を変化させることができる。
【００４８】
上記のように、カバースタンド１０はカバー部材１４を開いた際には必ずスタンド部材１６が突出し、図２及び図３に示す起立姿勢となる。このため、タブレット型ＰＣ１２を載置面上に起立させた状態ではなく使用者が手に持って操作する際には、カバー部材１４の背面から突出しているスタンド部材１６が邪魔になることも想定される。そこでこのような場合は、図９に示すようにスタンド板２５の磁石３２をカバー部１８の被吸着体３３から引き剥がすと共にスタンド板２５の縁部２５ａを連接部２０から離間する方向に移動させる。そうすると、スタンド部材１６をカバー部材１４の外面上で平面形状とし、スタンド部材１６の全面をカバー部材１４の外面に重ねて当接させることができる。その結果、スタンド部材１６の突出状態が解消され、カバー部材１４及びタブレット型ＰＣ１２を開いた状態のままでカバースタンド１０全体を一枚板状に構成することができ、使用者が手で把持し易くなり操作性が向上する。
【００４９】
一方、図３に示す起立姿勢にある状態から図４に示す収納姿勢に変化させる場合には、一対のカバー部１８，１８を互いに近づける方向に閉じ操作する。これにより、再びカバー部材１４が連接部２０によって二つ折りに折り畳まれ、同時にその外面側でスタンド部材１６も背表紙部２６によって二つ折りに折り畳まれるため、内側にタブレット型ＰＣ１２を収納した収納姿勢となる。
【００５０】
ところで、上記したカバースタンド１０では矩形形状のカバー部材１４の外面に三角形状のスタンド部材１６を取り付けた構成としたが、図１０に示すようにカバー部材１４とスタンド部材１６を一体構造にしたカバースタンド１０Ａとして構成してもよい。カバースタンド１０Ａでは、カバー部材１４を２層構造で構成すると共に、そのうち一部の表層をスタンド部材１６として使用している。すなわち、カバー部材１４の表層に折り曲げ線Ｂ１，Ｂ２を形成し、背表紙部２６で接続されたスタンド板２４，２５を形成している。これにより、カバー部材１４とスタンド部材１６とが一体構造となってその外面が１つの平面として形成されるため、カバースタンド１０Ａの外観品質が向上する。
【００５１】
図１１に示すカバースタンド１０Ｂは、当該カバースタンド１０Ｂ全体を１枚板状に構成し、この１枚板に折り曲げ線Ｂ１，Ｂ２，Ｃ１，Ｃ２を形成して一対のカバー部１８，１８と一対のスタンド板２４，２５と背表紙部２６とを形成した構成である。つまりカバースタンド１０Ｂは、図１０に示すカバースタンド１０Ａからスタンド板２４，２５の背面側に配置されるカバー部材１４の裏層と連接部２０をなくした構造である。従って、カバースタンド１０Ｂでは、タブレット型ＰＣ１２の背面の一部のみがカバー部１８に覆われ、残部はスタンド板２４，２５及び背表紙部２６によって接離可能な状態で覆われる。これにより、カバースタンド１０Ｂはその板厚を一層薄型に構成することができる。
【００５２】
このようなカバースタンド１０，１０Ａ，１０Ｂでは、図１２に示すように折り畳み構造ではないタブレット型ＰＣ１２Ａを用いることもできる。すなわち、タブレット型ＰＣ１２Ａは一方のカバー部１８の外形と略同一形状であり、他方のカバー部１８をタブレット型ＰＣ１２Ａのディスプレイ１２ｂを覆うためのカバーとして使用することができると共に、図１２に示すような起立姿勢にも保持することができる。
【００５３】
以上のように、本実施形態に係るカバースタンド１０（１０Ａ，１０Ｂ）は、少なくとも一方の内面に被収納物であるタブレット型ＰＣ１２が装着される一対のカバー部１８，１８と、背表紙部２６を介して互いに折り曲げ可能に接続された一対のスタンド板２４，２５とを備え、一方のスタンド板２４の背表紙部２６側とは反対側の縁部２４ａが一方のカバー部１８の外面に対して折り曲げ可能に接続され、他方のスタンド板２５の背表紙部２６側とは反対側の縁部２５ａが他方のカバー部１８の外面に対して折り曲げ可能に接続されている。そして、一対のカバー部１８，１８を互いに重ねる方向に折り畳んだ場合に、背表紙部２６を介して一対のスタンド板２４，２５が二つ折りに折り畳まれることで、一対のカバー部１８，１８の内側にタブレット型ＰＣ１２を収納する収納姿勢に変化し、この収納姿勢から一対のカバー部１８，１８を互いに離間させる方向に開いた場合に、一対のスタンド板２４，２５が一対のカバー部１８，１８の外面からそれぞれ折れ曲がる方向に移動すると共に背表紙部２６がタブレット型ＰＣ１２から離間する方向に移動することで、背表紙部２６の下縁部２６ａが載置面上に着地してタブレット型ＰＣ１２を起立保持する起立姿勢に変化する。
【００５４】
従って、当該カバースタンド１０（１０Ａ，１０Ｂ）では、図４に示すように各カバー部１８を二つ折りに折り畳んで内側にタブレット型ＰＣ１２を収納した収納姿勢から起立姿勢に変化させる際には、一対のカバー部１８，１８を互いに離間させる方向に開き操作する。そうすると、一対のスタンド板２４，２５が各カバー部１８の外面からそれぞれ折れ曲がる方向に移動すると共に背表紙部２６がタブレット型ＰＣ１２から離間する方向に移動することで、背表紙部２６の下縁部２６ａが載置面上に着地してタブレット型ＰＣ１２を起立保持する起立姿勢に変化する。つまり、使用者は一対のカバー部１８，１８を開き操作するだけの１アクションで収納姿勢にあるカバースタンド１０を起立姿勢に容易に変化させることができ、高い利便性が得られる。
【００５５】
当該カバースタンド１０（１０Ａ，１０Ｂ）では、一対のカバー部１８，１８は、連接部２０を介して互いに折り曲げ可能に接続されている。そして収納姿勢では、一対のスタンド板２４，２５が一対のカバー部１８，１８の外面に重なると共に、背表紙部２６が連接部２０との間に隙間Ｇを介して配置され、起立姿勢では、連接部２０と背表紙部２６との間の隙間Ｇが拡大すると共に、一対のスタンド板２４，２５が一対のカバー部１８，１８の外面から離間することで、連接部２０を介して平面形状に並んだ一対のカバー部１８，１８の外面に対し、一対のスタンド板２４，２５が背表紙部２６を頂点とした山折り形状に突出した状態となる。このように一対のスタンド板２４，２５は、収納姿勢において各カバー部１８に重なることでカバースタンド１０（１０Ａ，１０Ｂ）は全体としてコンパクトな折り畳み形状となり、持ち運び性や収納性が確保される。しかも収納姿勢で背表紙部２６が連接部２０との間に隙間Ｇを介して配置されるように設定されているため、起立姿勢では背表紙部２６が円滑に且つ確実に連接部２０の外面から離間する方向に移動し、同時にスタンド板２４，２５が三角形状となるため、高い安定性が得られる。
【００５６】
この際、一対のスタンド板２４，２５及び背表紙部２６は、背表紙部２６の上端部を頂点とした三角形状に形成され、各スタンド板２４，２５の各カバー部１８の外面に対する接続部である縁部２４ａ，２５ａは、連接部２０の長手方向に対して傾斜している。これにより、起立姿勢においてスタンド板２４，２５の下縁部２４ｂ，２５ｂと背表紙部２６の下縁部２６ａが各カバー部１８の下縁部よりも上方に位置ずれして移動する。その結果、起立姿勢では、例えば図７に示すように載置面に対して９０度よりも寝た状態、例えば１１０〜１３０度程度の起立姿勢となるため、安定性が向上すると共にタブレット型ＰＣ１２の操作性やディスプレイ１２ｂの視認性が向上する。
【００５７】
なお、本発明は、上記した実施形態に限定されるものではなく、本発明の主旨を逸脱しない範囲で自由に変更できることは勿論である。
【００５８】
上記実施形態に係るカバースタンド１０では、一方のスタンド板２４をカバー部１８に対して着脱不能に固定し、他方のスタンド板２５をカバー部１８に対して着脱可能に固定した構成を例示したが、両スタンド板２４，２５をカバー部１８に対して着脱不能に固定した構成又は両スタンド板２４，２５をカバー部１８に対して着脱可能に固定した構成としてもよい。この場合、両スタンド板２４，２５をカバー部１８に対して着脱可能に固定した構成とすると、スタンド機能が不要な場合はスタンド部材１６をカバー部材１４から取り外しておくこともできる。
【００５９】
上記実施形態に係るカバースタンド１０（１０Ａ，１０Ｂ）では、スタンド部材１６について、背表紙部２６をカバー部材１４の上下高さ寸法に亘って延在するように設け、各スタンド板２４，２５を背表紙部２６の略上端部まで延在させた正面視略三角形状の構成としたが、背表紙部２６及び各スタンド板２４，２５の上縁部を低位置に設定し（図２中に２点鎖線で示す上縁部１４ａ参照）、スタンド部材１６を正面視略台形形状に構成してもよい。
【符号の説明】
【００６０】
１０，１０Ａ，１０Ｂ  カバースタンド
１２，１２Ａ  タブレット型ＰＣ
１２ａ  筐体
１２ｂ  ディスプレイ
１４  カバー部材
１６  スタンド部材
１８  カバー部
２０  連接部
２２，３２  磁石
２４，２５  スタンド板
２４ａ，２５ａ  縁部
２４ｂ，２５ｂ，２６ａ  下縁部
２６  背表紙部
２８，３０  固定板
３３，３３ａ，３３ｂ  被吸着体
Ａ１，Ａ２，Ｂ１，Ｂ２，Ｃ１，Ｃ２  折り曲げ線
Ｇ  隙間
【図１】
2017068732.tif 000003
【図２】
2017068732.tif 000004
【図３】
2017068732.tif 000005
【図４】
2017068732.tif 000006
【図５】
2017068732.tif 000007
【図６】
2017068732.tif 000008
【図７】
2017068732.tif 000009
【図８】
2017068732.tif 000010
【図９】
2017068732.tif 000011
【図１０】
2017068732.tif 000012
【図１１】
2017068732.tif 000013
【図１２】
2017068732.tif 000014